(57)【要約】      （修正有）【課題】通信装置の通信効率を向上させ快適な通信を実現させる。【解決手段】通信装置に共振波長λの接地アンテナと、当該接地アンテナの接地点から開放端までの長さを、λ／４の自然数倍の長さと等しく設定した高周波用の第１グランド１５と、接続点２１を介して当該第１グランド１５と電気的に接続したデジタル用の第２グランド１７と、を設けてあり、当該接続点２１を、当該接地点からλ／４の自然数倍の長さと等しい距離だけ当該第１グランド１５の長さ方向に沿って離れた位置以外の位置に配してある。この構成により、アンテナにとって、より望ましい接地状態を提供することができ、これにより、そのような通信装置の通信効率を向上させ快適な通信を実現させることができる。【選択図】図１
2005079747.tif 000002
【特許請求の範囲】
【請求項１】
共振波長λの接地アンテナと、
当該接地アンテナの接地点から開放端までの長さを、λ／４の自然数倍の長さと等しく設定した高周波用の第１グランドと、
接続点を介して当該第１グランドと電気的に接続したデジタル用の第２グランドと、を備え、
当該接続点を、当該接地点からλ／４の自然数倍の長さと等しい距離だけ当該第１グランドの長さ方向に沿って離れた位置以外の位置に配してある
ことを特徴とする通信装置。
【請求項２】
前記接続点を、前記接地点からλ／８＋λ／４の自然数倍±λ／１６の長さと等しい距離の範囲内に配してある
ことを特徴とする請求項１記載の通信装置。
【請求項３】
前記接続点を、前記接地点からλ／８＋λ／４の自然数倍の長さと等しい距離だけ離れた位置に配してあることを特徴とする請求項１又は２記載の通信装置。
【請求項４】
前記接続点を、前記接地点から前記開放端までの長さの中央から±λ／１６の長さと等しい長さの範囲内に配してある
ことを特徴とする請求項１乃至３何れか記載の通信装置。
【請求項５】
前記接続点を、前記接地点から前記開放端までの長さの中央に配してある
ことを特徴とする請求項１乃至３何れか記載の通信装置。
【請求項６】
共振波長λの接地アンテナと、
当該接地アンテナに接続された高周波回路と、
当該高周波回路のグランドとして機能するとともに当該接地アンテナと対となってアンテナを構成する高周波グランドと、
当該高周波回路および当該高周波グランドとは別に設けたデジタル回路およびデジタルグランドと、を備え、
当該高周波グランドと当該デジタルグランドとは、当該高周波グランドが有する接続点を介して電気的に接続してあり、
当該高周波グランドの接続点を、当該高周波グランドを画成する辺のうち、当該接地アンテナに隣接する第１の辺および当該第１の辺と対向する第２の辺を除いた何れかの辺上に配してある
ことを特徴とする通信装置。
【請求項７】
当該接地アンテナの接地点から開放端までの前記高周波グランド長さを、λ／４の自然数倍の長さと等しく設定してあり、
前記接続点を、当該接地点から当該開放端までの長さの中央から±λ／１６の長さと等しい長さの範囲内に配してある
ことを特徴とする請求項６記載の通信装置。
【請求項８】
前記接続点を、前記接地アンテナの接地点から前記高周波グランドの開放端までの長さの中央に配してある
ことを特徴とする請求項６記載の通信装置。
【発明の詳細な説明】
【技術分野】
【０００１】
本発明は、アンテナを内蔵した通信装置に関するものである。
【背景技術】
【０００２】
図２６に示す無線通信ユニット１０１は、チップアンテナ１０３と、アナログ回路部の一部を構成する第１グランド１０５と、第１グランド１０５と別体の第２グランド１０９と、を備えている。第１グランド１０５はその一辺上に接続点１０７を有し、この接続点１０７を介してチップインダクタ１１１により第２グランド１０９と接続されている。チップインダクタ１１１は、第１グランド１０５と第２グランド１０９とを電気的に接続するとともに、高周波的には高インピーダンスとなって両グランドを分断する働きを持っている。第１グランド１０５の総周囲長は、使用波長の１波長近傍に収まるように構成してあり、第１グランド１０５はほぼ正方形であるため接続点１０７がある一辺の長さは使用波長の１／４の長さとほぼ等しい長さになっている（文献１参照）。
【特許文献１】特開２００１−１６８６２５号公報（段落００６６〜００７６、図５参照）
【発明の開示】
【発明が解決しようとする課題】
【０００３】
しかし、上記文献に記載された手法では、両グランドの接続がチップインダクタを介して行われるため、使用周波数によっては大きめのインダクタが必要になる場合もあり、インダクタによる接地状態がアンテナの性能に影響を与える場合も起こり得る。そこで、本発明はアンテナにとって、より望ましい接地状態を提供することを目的とする。
【課題を解決するための手段】
【０００４】
上記目的を達成するために検討したところ、おそらく接続点１０７のある位置が第１グランド１０５の一辺上においてオープン端にあるため、その点においてアンテナ電圧ｅが最大になる（又は、アンテナ電流ｉが最小になる）からではないか、との知見を得た。本発明は、この知見に基づいてなされたものである。なお、何れかの請求項に係る発明を説明するに当たって行う用語の定義等は、その性質上可能な範囲において他の請求項に係る発明にも適用されるものとする。
【０００５】
（請求項１記載の発明の特徴）
請求項１記載の発明に係る通信装置は、共振波長λの接地アンテナと、当該接地アンテナの接地点から開放端までの長さを、λ／４の自然数倍の長さと等しく設定した高周波用の第１グランドと、接続点を介して当該第１グランドと電気的に接続したデジタル用の第２グランドと、を備え、当該接続点を、当該接地点からλ／４の自然数倍の長さと等しい距離だけ当該第１グランドの長さ方向に沿って離れた位置以外の位置に配してある。すなわち、当該接地点からλ／４，２λ／４，３λ／４，...ｎλ／４と等しい長さだけ離れた位置に接続点を設けてない。アンテナ電圧ｅが最大になる（又は、アンテナ電流ｉが最小になる）位置を避けることによりアンテナの輻射効率を改善することができた。
【０００６】
（請求項２記載の発明の特徴）
請求項２記載の発明に係る通信装置は、請求項１の通信装置であって、前記接続点を、前記アンテナ接地点からλ／８＋λ／４の自然数倍±λ／１６の長さと等しい距離の範囲内に配してある。アンテナ電圧ｅが最大になる（又は、アンテナ電流ｉが最小になる）位置以外の位置として、たとえば、上記した位置に接続点を配することができる。
【０００７】
（請求項３記載の発明の特徴）
請求項３記載の発明に係る通信装置は、請求項１又は２記載の通信装置であって、前記接続点を、前記接地点からλ／８＋λ／４の自然数倍の長さと等しい距離だけ離れた位置に配してある。アンテナ電圧ｅが最大になる（又は、アンテナ電流ｉが最小になる）位置以外の位置として、たとえば、上記した位置に接続点を配することができる。
【０００８】
（請求項４記載の発明の特徴）
請求項４記載の発明に係る通信装置は、請求項１乃至３何れかの通信装置であって、前記接続点を、前記接地点から前記開放端までの長さの中央から±λ／１６の長さと等しい長さの範囲内に配してある。アンテナ電圧ｅが最大になる（又は、アンテナ電流ｉが最小になる）位置以外の位置として、たとえば、上記した位置に接続点を配することができる。
【０００９】
（請求項５記載の発明の特徴）
請求項５記載の発明に係る通信装置は、請求項１乃至３何れかの通信装置であって、前記接続点を、前記接地点から前記開放端までの長さの中央に配してある。アンテナ電圧ｅが最大になる（又は、アンテナ電流ｉが最小になる）位置以外の位置として、たとえば、上記した位置に接続点を配することができる。
【００１０】
（請求項６記載の発明の特徴）
請求項６記載の発明に係る通信装置は、共振波長λの接地アンテナと、当該接地アンテナに接続された高周波回路と、当該高周波回路のグランドとして機能するとともに当該接地アンテナと対となってアンテナを構成する高周波グランドと、当該高周波回路および当該高周波グランドとは別に設けたデジタル回路およびデジタルグランドと、を備え、当該高周波グランドと当該デジタルグランドとは、当該高周波グランドが有する接続点を介して電気的に接続してあり、当該高周波グランドの接続点を、当該高周波グランドを画成する辺のうち、当該接地アンテナに隣接する第１の辺および当該第１の辺と対向する第２の辺を除いた何れかの辺上に配してある。アンテナ電圧ｅが最大になる（又は、アンテナ電流ｉが最小になる）位置以外の位置として、たとえば、上記した位置に接続点を配することができる。
【００１１】
（請求項７記載の発明の特徴）
請求項７記載の発明に係る通信装置は、請求項６の通信装置であって、当該接地アンテナの接地点から開放端までの前記高周波グランド長さを、λ／４の自然数倍の長さと等しく設定してあり、前記接続点を、当該接地点から当該開放端までの長さの中央から±λ／１６の長さと等しい長さの範囲内に配してある。アンテナ電圧ｅが最大になる（又は、アンテナ電流ｉが最小になる）位置以外の位置として、たとえば、上記した位置に接続点を配することができる。
【００１２】
（請求項８記載の発明の特徴）
請求項８記載の発明に係る通信装置は、請求項６の通信装置であって、前記接続点を、前記接地アンテナの接地点から前記高周波グランドの開放端までの長さの中央に配してある。アンテナ電圧ｅが最大になる（又は、アンテナ電流ｉが最小になる）位置以外の位置として、たとえば、上記した位置に接続点を配することができる。
【発明の効果】
【００１３】
本発明によれば、アンテナにとって、より望ましい接地状態を提供することができ、これにより、そのような通信装置の通信効率を向上させ快適な通信を実現させることができる。
【発明を実施するための最良の形態】
【００１４】
次に、各図を参照しながら、本発明の実施の形態について説明する。図１は、通信装置の一例であるバーコードを読み取るための無線バーコードリーダーの概略斜視図である。図２は、図１に示す無線バーコードリーダーの平面図である。図３乃至７は、図２に示す無線通信ユニットのＶＳＷＲ特性を示す図表である。図８は、図２に示す無線バーコードリーダーの第１変形例を示す平面図である。図９乃至１３は、図８に示す無線通信ユニットのＶＳＷＲ特性を示す図表である。図１４は、本実施形態の第２変形例を示す平面図である。図１５乃至１７は、図１４に示す無線通信ユニットのＶＳＷＲ特性を示す図表である。図１８は、本実施形態の第３変形例を示す平面図である。図１９乃至２１は、図１８に示す無線通信ユニットのＶＳＷＲ特性を示す図表である。図２２は、本実施形態の第４変形例を示す平面図である。図２３は、図２２に示す無線通信ユニットのＶＳＷＲ特性を示す図表である。図２４は、本実施形態の第５変形例を示す平面図である。図２５は、図２４に示す無線通信ユニットのＶＳＷＲ特性を示す図表である。なお、図１及び２に示す無線通信ユニットは、図面が複雑になるのを避けるために、それが備える各種の電子部品を省略して表示してある。
【００１５】
（通信装置の概略構造）
図１及び２に基づいて説明する。通信装置として機能する無線バーコードリーダー１は、各種の商品やＩＤカード等に表示されたバーコードを読み取り、その読み取ったデータを無線送信するためのリーダー（スキャナ）であって、箱状のリーダー本体３と、リーダー本体３内部に設けたバーコードから読み取ったデータを送信するための無線通信ユニット７と、データの読み取り等を行うための発光受光部や各種電子ユニット等（図示を省略）と、により概ね構成してある。
【００１６】
（無線通信ユニットの構造）
図１及び２に示すように、無線通信ユニット７は、高周波回路部９と、この高周波回路部９とは別体のデジタル回路部１１と、を備えている。高周波回路部９は、プリント基板上に載せたチップアンテナ１３とその上にパターン形成した高周波グランド（第１グランド）１５と、を備え、共振周波数ｆ（共振波長λ）に共振するように構成してある。共振周波数ｆは、たとえば、通信方式である「Ｂｌｕｅｔｏｏｔｈ」に適用可能とするために２４００〜２４８３．５ＭＨｚ（以下、便宜のために「２．４ＧＨｚ帯」という）に設定してあるが、この周波数帯以外の周波数帯（たとえば、無線ＬＡＮ用に５ＧＨｚ帯）に設定することもできる。チップアンテナ１３は、小型化のために比較的有利であることから誘電体アンテナを採用したが、それ以外の形式のアンテナでも構わない。デジタル回路部１１は、プリント基板上にパターン形成したデジタルグランド（第２グランド）１７を備え、デジタルグランド１７は、図１及び２に示すように、四辺を有するほぼ矩形状に形成してあるが、矩形状以外の形状に形成することを妨げない。
【００１７】
（チップアンテナの構造）
図２を参照しながら説明する。チップアンテナ１３は、いわゆる誘電体アンテナであって、セラミック等の誘電体に導電ペーストを塗布して構成した接地アンテナ１３ａと、インピーダンス整合用のショート線１３ｐと、を備えており、一般に逆Ｆ型アンテナとも称されるアンテナである。接地アンテナ１３ａは、給電端１３ｂと、開放端１３ｄと、給電端１３ｂと開放端１３ｄとの間の屈曲部１３ｃと、を有する逆Ｌ字状の素子である。ショート線１３ｐは、接地端１３ｑと屈曲部１３ｒを介して接地アンテナ１３ａに接続した接続端１３ｓと、を備える逆Ｌ字状の線状導体である。本実施形態では、ショート線１３ｐの接続端１３ｓを接地アンテナ１３ａの屈曲部１３ｃに接続してある、すなわち、接続端１３ｓと屈曲部１３ｃとを一致させてあるが、これを、給電端１３ｂにおけるインピーダンスを調整するために給電端１３ｂ方向又は開放端１３ｄ方向にずらすこともできる。また、給電端１３ｂと接地端１３ｑの位置を逆にして、図２に向かって左側に前者を右側に後者を配することも可能である。接地アンテナ１３ａやショート線１３ｐを、必要に応じてミアンダ状に構成したり、必要であるなら前者にスタブを付加したりするなど変更を加えることも可能である。さらに、逆Ｆ型アンテナに限らず、モノポールアンテナなどを採用してもよい。
【００１８】
（高周波グランド）
高周波グランド１５は、底辺１５ａ（他辺１５ｂと１５ｃとの間の辺）を備えた長方形に形成してあり、この底辺１５ａをデジタルグランド１７の一辺１７ａに隣接させてある。高周波グランド１５は、所望周波数で共振させるために、使用波長λの１／４の長さとほぼ等しくなるように設定してある。高周波グランド１５は、それが有する接続点１５ｐとデジタルグランド１７が有する接続点１７ｐとを介してデジタルグランド１７と電気的に接続してある（図２参照）。接続点１５ｐと接続点１７ｐとの間の接続は、たとえば銅箔のような導体箔２１により行っている。
【００１９】
次は、接続点１５ｐを設ける位置について説明する。接続点１５ｐは、ショート線１３ｐの接地端１３ｑを通り高周波グランド１５の底辺１５ａに下ろした垂線と底辺１５ａとの交点１５ｑと他辺１５ｃとの間のほぼ中央に設けてある。すなわち、高周波グランド１５の交点１５ｑと他辺１５ｃとの間の長さを使用波長λの１／４の長さとほぼ等しく設定してあるため、接続点１５ｐは他辺１５ｃからλ／８の長さと等しい長さだけ移動した位置よりさらに僅か他辺１５ｂよりの位置に配したことになる。このような位置に接続点１５ｐを配した第１の理由は、アンテナ電圧が最大になる位置、すなわち、図２に示す交点１５ｑがある位置に配するのではなく、それ以外の位置に配する点にある。アンテナ電圧が最大となる位置以外の位置に配することにより、電圧が最大となる位置に配する場合に比べ輻射効率を改善することができるからである。さらに、後述する実験によれば、同じく電圧最大位置を外した位置に配する場合であっても、交点１５ｑと他辺１５ｃとの間の中央領域に配した場合に最もよい結果を得ることができたからである。これが、上記位置に接続点１５ｐを配した第２の理由である。
【００２０】
（本実施形態の実験結果）
図２乃至７を参照しながら説明する。図３乃至７に示す図表は、図２に示す高周波グランド１５の接続点１５ｐを、＋（図の左方向）方向又は−（図の右方向）方向に移動させたときのＶＳＷＲ特性を表している。同じくＸは、高周波グランド１５を動かさずに接続点１５ｐだけを左右に移動させた距離を示す。「Ｘ＝０ｍｍ」は、接続点１５ｐが交点１５ｑと他辺１５ｃとの間の中央に位置することを示し、たとえば「Ｘ＝＋９ｍｍ」は、接続点１５ｐを図の＋方向（左方向）に中心から９ｍｍ移動させたことを示す。なお、図２に示す直線Ｌは、接続点１５ｐを通る底辺１５ａに対する垂線である。ここで、共振周波数ｆは２．４ＧＨｚ帯に設定し、したがって、交点１５ｑと他辺１５ｃとの間の長さを、使用波長λの１／４の長さと等しい長さである３２ｍｍより僅かに長い３６ｍｍに設定した。高周波グランド１５の接続点１５ｐとデジタルグランド１７の接続点１７ｐとを接続する導体箔２１は、幅３ｍｍ長さ６ｍｍの銅箔である。
【００２１】
図３乃至７から明らかなように、ＶＳＷＲ特性を観察すると、図５に示す状態が最もよい状態であることが分かる。同図に示す状態は、「Ｘ＝０ｍｍ」のとき、すなわち、接続点１５ｐを交点１５ｑと他辺１５ｃとの間の中央に配したときに、２．４〜２．５ＧＨｚの範囲でＶＳＷＲ２以下を得た。他方、図４及び６に示すように「Ｘ＝±９ｍｍ」のときは、中心周波数２．４５ＧＨｚにおいて、何れもＶＳＷＲ２以下の値を示した。さらに、図３及び７に示すように「Ｘ＝±１８ｍｍ」のときは、同じく中心周波数２．４５ＧＨｚにおいて、何れもＶＳＷＲ２以上の値を示した。
【００２２】
上記の実験により、接続点１５ｐを交点１５ｑと他辺１５ｃとの間の中央に配したときのＶＳＷＲ特性が最も好ましく、中央から外れると特性が劣化することが分かった。さらに、この実験結果から、交点１５ｑと他辺１５ｃとの間の長さとチップアンテナ１３の共振周波数ｆ（共振波長λ）との関係を、次のように分析することができる。すなわち、上記実験では、共振周波数ｆを２．４ＧＨｚに設定したので、その共振波長がほぼ１２５ｍｍになる。したがって、１／４λがほぼ３２ｍｍとなるが、本実験においては、各部品の配置等の作用も働き、アンテナの接地端から開放端の距離を３６ｍｍとすることで最適化できた。図２に示す高周波グランド１５の底辺１５ａの、チップアンテナ１３から離れる方向の長さは３６ｍｍであるから、その長さは１／４λの長さとほぼ等しい。したがって、図２に示す高周波グランド１５の底辺１５ａの向って右端においてアンテナ電圧が最大（アンテナ電流が最小）になる。図２に示す高周波グランド１５の底辺１５ａのチップアンテナ１３から離れる方向の長さにおいて、アンテナ電圧が最大の点を外した個所に接続点１５ｐを設けたときに好ましいＶＳＷＲ特性を得られることが分かった。
【００２３】
（本実施形態の第１変形例）
図８に基づいて説明する。本変形例に係る無線バーコードリーダー３１が前述した無線バーコードリーダー１と異なるのは、デジタルグランド（第２グランド）の形状のみである。したがって、以下における構成の説明は、デジタルグランドについてのみ行い、他の構成部材についての説明は適宜省略する。
【００２４】
図８に示すように、無線バーコードリーダー３１が有するリーダー本体３３は無線通信ユニット３７を、その内部に有している。無線通信ユニット３７は、高周波回路部３９と、この高周波回路部３９とは別体のデジタル回路部４１と、を備えている。高周波回路部３９は、プリント基板上に載せたチップアンテナ４３とその上にパターン形成した高周波グランド（第１グランド）４５と、を備え、共振周波数２．４５ＧＨｚ（共振波長λ）に共振するように構成してある。デジタル回路部４１は、プリント基板上にパターン形成したデジタルグランド（第２グランド）４７を備えている。デジタルグランド４７は、突起部４７ａを有している点で、本実施形態に係るデジタルグランド１７と異なっている。突起部４７ａは、そこを突き出させることにより、デジタルグランド４７を有するプリント基板の裏側に各種の部品（図示を省略）を搭載できるようにすることを主目的として形成したものである。
【００２５】
（本変形例の実験結果）
図９乃至１３から明らかなように、ＶＳＷＲ特性を観察すると、図１１に示す状態が最もよい状態であることが分かる。同図に示す状態は、「Ｘ＝０ｍｍ」のとき、すなわち、接続点４５ｐを高周波グランド４５の一辺４５ａの中央に配したときに、２．４〜２．５ＧＨｚの範囲でＶＳＷＲ２以下を得た。他方、図１０に示す「Ｘ＝＋９ｍｍ」のときは中心周波数２．４５ＧＨｚにおいて、さらに、図１２に示す「Ｘ＝−９ｍｍ」のときは中心周波数２．４５ＧＨｚにおいて、それぞれＶＳＷＲ２以下を得た。さらに、図９に示すように「Ｘ＝＋１８ｍｍ」のときは中心周波数２．４５ＧＨｚにおいてＶＳＷＲ２以上の値を示し、図１３に示すように「−１８ｍｍ」のときは同じく中心周波数２．４５ＧＨｚにおいてほぼＶＳＷＲ２以上の値を示した。
【００２６】
上記の実験により、接続点４５ｐを高周波グランド４５の一辺４５ａ（他辺４５ｂと４５ｃとの間の辺）の中央に配したときのＶＳＷＲ特性が最も好ましく、中央から外れると特性が劣化することが分かった。この点においては、本実施形態に係る無線バーコードリーダー１と同様であるが、本変形例に係る無線バーコードリーダー３１の方が、図１２の図表等から明らかなように、より適用範囲が広いことが分かった。したがって、本変形例においても、図８に示す高周波グランド４５の一辺４５ａのチップアンテナ４３から離れる方向の長さにおいて、アンテナ電圧が最大の点を外した個所に接続点４５ｐを設けたときに好ましいＶＳＷＲ特性を得られることが分かった。
【００２７】
（本実施形態の第２変形例）
図１４乃至１７に基づいて説明する。第２変形例が本実施形態と異なるのは、図２に示す高周波グランド１５の形状のみである。すなわち、図１４に示す無線通信ユニット７の高周波グランドを図２に示す高周波グランドと比較すると、２点鎖線で示す三角削除エリア１５ｆを削除して、その分、三角削除エリア１５ｆと同じ形状の三角付加エリア１５ｇを付加した点が異なっている。したがって、図２に示す無線通信ユニットと共通する部分については、図２で使用した符合と同じ符合を図１４に示す無線通信ユニットに使用するとともに、その部分の説明を省略する（以下に述べる第３変形例において同じ）。上記形状を有する無線通信ユニット７において、図１４に示す角度ａを変化させて、本実施形態において行った実験と同じ条件で行ったところ、図１５乃至１７に示すＶＳＷＲ特性を得た。すなわち、角度ａを１５度、３０度及び４５度に設定したときに、中心周波数２．４５ＧＨｚにおいて、それぞれＶＳＷＲ２以下を得た。
【００２８】
（本実施形態の第３変形例）
図１８乃至２１に基づいて説明する。図１８に示す高周波グランド１５と図１４に示す高周波グランド１５とは、三角削除エリア１５ｆと三角付加エリア１５ｇの位置が上下逆である点が異なっている。図１８に示す角度ａを変化させて、本実施形態において行った実験と同じ条件で行ったところ、図１９乃至２１に示すＶＳＷＲ特性を得た。すなわち、角度ａを１５度、３０度及び４５度に設定したときに、中心周波数２．４５ＧＨｚにおいて、それぞれＶＳＷＲ２以下を得た。
【００２９】
（本実施形態の第４変形例）
図２２及び２３に基づいて説明する。第４変形例は、図１８に示す第３変形例をさらに変形させたものである。両者が異なるのは、図１８に示す高周波グランド１５の形状のみである。すなわち、図１８に示す無線通信ユニット７の高周波グランドを図２２に示す高周波グランドと比較すると、２点鎖線で示す矩形削除エリア１５ｊを削除した点が異なっている。角度ａは４５度に設定してある。したがって、図１８に示す無線通信ユニットと共通する部分については、図１８で使用した符合と同じ符合を図２２に示す無線通信ユニットに使用するとともに、その部分の説明を省略する（以下に述べる第５変形例において同じ）。上記形状を有する無線通信ユニット７において、本実施形態において行った実験と同じ条件で行ったところ、図２３に示すＶＳＷＲ特性を得た。すなわち、図２１に示す特性と比べてＶＳＷＲ２以下の帯域幅が狭くなるが、中心周波数２．４５ＧＨｚにおいて、ＶＳＷＲ２以下を得た。
【００３０】
（本実施形態の第５変形例）
図２４及び２５に基づいて説明する。第５変形例は、図２２に示す第４変形例をさらに変形させたものである。両者が異なるのは、図２２に示す高周波グランド１５と図２４に示す高周波グランド１５とは、前者から２点鎖線で示す矩形削除エリア１５ｋを削除してある点が異なっている。角度ａは４５度に設定してある。上記形状を有する無線通信ユニット７において、本実施形態において行った実験と同じ条件で行ったところ、図２５に示すＶＳＷＲ特性を得た。すなわち、図２３に示す特性と比べてＶＳＷＲ２以下の帯域幅はほぼ同じであり、中心周波数２．４５ＧＨｚにおいて、ＶＳＷＲ２以下を得た。
【００３１】
（考察）
以上の実験結果を中心に踏まえて本発明の原理を考察すると、おそらく次に述べる通りとなる。すなわち、本実施形態における接続点１５ｐ（図２参照）及び本変形例における接続点４５ｐ（図８参照）のある位置が第１グランドである高周波グランド１５又は高周波グランド４５の一辺上においてオープン端、ショート端以外の位置に配することにより、好結果を得られたようである。オープン端では、その点においてアンテナ電圧が最大になる（また、ショート端で電流が最大となる）が、これを避けることが好結果、すなわち、輻射効率向上の要因ではないか、と思われる。とするなら、上記した接続点１５ｐや接続点４５ｐを、アンテナ電圧が最大になる点、すなわち、第１グランド上において、チップアンテナ１３又は交点１５ｑ（接地点）から使用波長λの１／４の長さと等しい長さの自然数倍の長さと等しい距離だけ離れた点上には設けないことが好結果を得るために大事であると思われる。
【００３２】
上記の考察を具体化すると、たとえば、交点１５ｑからλ／４の自然数倍の長さと等しい距離だけ離れた位置以外の位置、交点１５ｑからλ／８＋λ／４の自然数倍±λ／１６の長さと等しい距離の範囲内の位置、交点１５ｑからλ／８＋λ／４の自然数倍の長さと等しい距離だけ離れた位置、当該高周波グランドを画成する辺のうち、当該λ／４の自然数倍の長さと等しい長さを有する辺上の位置、交点１５ｑと他辺１５ｃの間の中央から±λ／１６の長さと等しい距離の範囲内の位置、当該第１グランドのλ／４の自然数倍の長さと等しい長さを有する辺の中央の位置、高周波グランドを画成する辺のうち、接地アンテナ（チップアンテナ）に隣接する第１の辺および当該第１の辺と対向する第２の辺を除いた何れかの辺上の位置、交点１５ｑと他辺１５ｃの間の中央から、前記接地アンテナの共振波長λの±１／１６と等しい距離の範囲内の位置、交点１５ｑと他辺１５ｃの間の中央の位置、に接続点１５ｐ又は接続点４５ｐを設けることにより輻射効率向上を期待することができよう。
【００３３】
なお、図２及び８に示すチップアンテナは高周波グランドの長さ方向に平行となるように配してあるが、図１４に示すように、長さ方向に対して垂直となるように配してもよい。図１４に示す場合も、交点（接地点）１５ｑと他辺１５ｃの間の中央の位置に接続点１５ｐを配することが、輻射効率向上のために最も好ましい。
【００３４】
上述した無線バーコードリーダー１及び無線バーコードリーダー３１は、本発明の適用対象の一例であって、これら以外の電子機器（通信機器）が適用対象となり得ることは言うまでもない。たとえば、携帯電話機、ＰＤＡ（Ｐｅｒｓｏｎａｌ  Ｄｉｇｉｔａｌ  Ａｉｄ）、パーソナルコンピュータのような無線通信ユニットを内蔵するもの全てが対象となる。
【図面の簡単な説明】
【００３５】
【図１】通信装置の一例であるバーコードを読み取るための無線バーコードリーダーの概略斜視図である。
【図２】図１に示す無線バーコードリーダーの平面図である。
【図３】図２に示す無線通信ユニットのＶＳＷＲ特性を示す図表である。
【図４】図２に示す無線通信ユニットのＶＳＷＲ特性を示す図表である。
【図５】図２に示す無線通信ユニットのＶＳＷＲ特性を示す図表である。
【図６】図２に示す無線通信ユニットのＶＳＷＲ特性を示す図表である。
【図７】図２に示す無線通信ユニットのＶＳＷＲ特性を示す図表である。
【図８】図２に示す無線バーコードリーダーの第１変形例を示す平面図である。
【図９】図８に示す無線通信ユニットのＶＳＷＲ特性を示す図表である。
【図１０】図８に示す無線通信ユニットのＶＳＷＲ特性を示す図表である。
【図１１】図８に示す無線通信ユニットのＶＳＷＲ特性を示す図表である。
【図１２】図８に示す無線通信ユニットのＶＳＷＲ特性を示す図表である。
【図１３】図８に示す無線通信ユニットのＶＳＷＲ特性を示す図表である。
【図１４】本実施形態の第２変形例を示す平面図である。
【図１５】図１４に示す無線通信ユニットのＶＳＷＲ特性を示す図表である。
【図１６】図１４に示す無線通信ユニットのＶＳＷＲ特性を示す図表である。
【図１７】図１４に示す無線通信ユニットのＶＳＷＲ特性を示す図表である。
【図１８】本実施形態の第３変形例を示す平面図である。
【図１９】図１８に示す無線通信ユニットのＶＳＷＲ特性を示す図表である。
【図２０】図１８に示す無線通信ユニットのＶＳＷＲ特性を示す図表である。
【図２１】図１８に示す無線通信ユニットのＶＳＷＲ特性を示す図表である。
【図２２】本実施形態の第４変形例を示す平面図である。
【図２３】図２２に示す無線通信ユニットのＶＳＷＲ特性を示す図表である。
【図２４】本実施形態の第５変形例を示す平面図である。
【図２５】図２４に示す無線通信ユニットのＶＳＷＲ特性を示す図表である。
【図２６】従来の無線通信ユニットの平面図である。
【符号の説明】
【００３６】
１，３１                無線バーコードリーダー
３，３３                リーダー本体
７，３７，１０１        無線通信ユニット
９，３９                高周波回路部
１１，４１                デジタル回路部
１３，４３，１０３        チップアンテナ
１３ａ                    接地アンテナ
１３ｂ                    給電端
１３ｃ                    屈曲部
１３ｄ                    開放端
１３ｐ                    ショート線
１３ｑ                    接地端
１３ｒ                    屈曲部
１５，４５                高周波グランド（第１グランド）
１７，４７                デジタルグランド（第２グランド）
２１                      導体箔
１５ｐ，１７ｐ，４５ｐ    接続点
４７ａ                    突起部
１０５                      第１グランド
１０９                      第２グランド
１１１                      チップインダクタ
【図１】
2005079747.tif 000003
【図２】
2005079747.tif 000004
【図３】
2005079747.tif 000005
【図４】
2005079747.tif 000006
【図５】
2005079747.tif 000007
【図６】
2005079747.tif 000008
【図７】
2005079747.tif 000009
【図８】
2005079747.tif 000010
【図９】
2005079747.tif 000011
【図１０】
2005079747.tif 000012
【図１１】
2005079747.tif 000013
【図１２】
2005079747.tif 000014
【図１３】
2005079747.tif 000015
【図１４】
2005079747.tif 000016
【図１５】
2005079747.tif 000017
【図１６】
2005079747.tif 000018
【図１７】
2005079747.tif 000019
【図１８】
2005079747.tif 000020
【図１９】
2005079747.tif 000021
【図２０】
2005079747.tif 000022
【図２１】
2005079747.tif 000023
【図２２】
2005079747.tif 000024
【図２３】
2005079747.tif 000025
【図２４】
2005079747.tif 000026
【図２５】
2005079747.tif 000027
【図２６】
2005079747.tif 000028